(57)【要約】【課題】簡単な構成でマッサージ部を覆うことのできるカバー部材を有するマッサージ機を提供することを目的とする。【解決手段】本体部と、マッサージを行うマッサージ部と、前記マッサージ部を覆うカバー部材と、を有し、前記カバー部材は、延設部を有し、前記延設部は、前記カバー部材の一方から延設された第一延設部と、前記カバー部材の他方から延設された第二延設部と、で構成されており、前記カバー部材と前記延設部との間に前記本体部を位置させるとともに前記第一延設部と前記第二延設部とを係合させることを特徴とする。【選択図】      図６
2019025210.tif 000002
【特許請求の範囲】
【請求項１】
本体部と、
マッサージを行うマッサージ部と、
前記マッサージ部を覆うカバー部材と、を有し、
前記カバー部材は、延設部を有し、
前記延設部は、
前記カバー部材の一方から延設された第一延設部と、
前記カバー部材の他方から延設された第二延設部と、で構成されており、
前記カバー部材と前記延設部との間に前記本体部を位置させるとともに前記第一延設部と前記第二延設部とを結合することができることを特徴とするマッサージ機。
【請求項２】
前記カバー部材は、少なくとも一部が内部に空間を有する袋体を形成しており、
前記袋体には、前記マッサージ部を収納することができることを特徴とする請求項１に記載のマッサージ機。
【請求項３】
前記マッサージ部は、エアセルであることを特徴とする請求項１又は２に記載のマッサージ機。
【請求項４】
前記第一延設部と前記第二延設部には、それぞれ第一結合部が設けられていることを特徴とする請求項１〜３のいずれかに記載のマッサージ機。
【請求項５】
固定部を更に有し、前記固定部は、前記本体部と前記延設部とを固定することを特徴とする請求項１〜４のいずれかに記載のマッサージ機。
【請求項６】
前記第一延設部は、前記固定部が貫通する第一孔を有し、
前記第二延設部は、前記固定部が貫通する第二孔を有し、
前記固定部は、前記第一孔と前記第二孔を介して前記本体部に対して取り付けられていることを特徴とする請求項５に記載のマッサージ機。
【請求項７】
前記カバー部材は、前記本体部に対して固定するための第二結合部を更に有していることを特徴とする請求項１〜６のいずれかに記載のマッサージ機。
【請求項８】
前記本体部は、前記第二結合部を取り付けるための第三孔を有していることを特徴とする請求項１〜７のいずれかに記載のマッサージ機。
【請求項９】
前記本体部は、使用者の身体支持部であることを特徴とする請求項１〜８のいずれかに記載のマッサージ機。
【発明の詳細な説明】
【技術分野】
【０００１】
本発明はマッサージ機に関する。
【背景技術】
【０００２】
従来、座部、背凭れ部、肘掛部、および脚支持部の各々が布製の外装カバーで覆われたマッサージ機が知られている。このマッサージ機は、外装カバーを取り外すことにより、各部に設けられた空気袋ユニットが露出するように構成されている。（例えば、特許文献１参照）。
【先行技術文献】
【特許文献】
【０００３】
【特許文献１】特開２０１５−００２９４３号公報
【発明の概要】
【発明が解決しようとする課題】
【０００４】
上記特許文献１に記載のマッサージ機にあっては、布製の外装カバーが座部、背凭れ部、肘掛部、および脚支持部の各部に取り付けられること、布製の外装カバーを取り外すことにより空気袋ユニットが露出すること、しか開示されておらず、布製の外装カバーが座部、背凭れ部、肘掛部、および脚支持部の各部に対してどのような構造で取り付けられているのかが明らかではなく、余分な製造コストや製造工数を発生させている虞があるという問題がある。
そこで本発明は、上述した問題を解消するためになされたものであり、より簡単な構成でカバー部材をマッサージ部に対して取り付けることができるマッサージ機を提供することを目的とする。
【課題を解決するための手段】
【０００５】
本発明は、本体部と、マッサージを行うマッサージ部と、前記マッサージ部を覆うカバー部材と、を有し、前記カバー部材は、延設部を有し、前記延設部は、前記カバー部材の一方から延設された第一延設部と、前記カバー部材の他方から延設された第二延設部と、で構成されており、前記カバー部材と前記延設部との間に前記本体部を位置させるとともに前記第一延設部と前記第二延設部とを結合することができることを特徴とする。
このような構成とすることで、簡単な構成でカバー部材をマッサージ部に対して取り付けることができるため、製造コストの削減と製造工数の削減をすることができる。
【０００６】
また、前記カバー部材は、少なくとも一部が内部に空間を有する袋体を形成しており、前記袋体には、前記マッサージ部を収納することができることが好ましい。
このような構成とすることで、袋体の内部にマッサージ部を収納することができるため、コンパクトにすることができる。
【０００７】
また、前記マッサージ部は、エアセルであることが好ましい。
このような構成とすることで、使用者に対してソフトなマッサージをすることができる。
【０００８】
また、前記第一延設部と前記第二延設部には、それぞれ第一結合部が設けられていることが好ましい。
このような構成とすることで、第一延設部と第二延設部とを第一結合部を介して結合させることができるため、より簡単な構成で、カバー部材を本体部に対して取り付けることができる。
【０００９】
また、固定部を更に有し、前記固定部は、前記本体部と前記延設部とを固定することが好ましい。
このような構成とすることで、より安定した状態で本体部と延設部とを固定部を介して固定することができる。
【００１０】
また、前記第一延設部は、前記固定部が貫通する第一孔を有し、前記第二延設部は、前記固定部が貫通する第二孔を有し、前記固定部は、前記第一孔と前記第二孔を介して前記本体部に対して取り付けられていることが好ましい。
このような構成とすることで、第一孔と第二孔とに固定部を介して本体部と延設部とを固定することができるため、より安定した状態で本体部と延設部とを固定部を介して固定することができる。
【００１１】
また、前記カバー部材は、前記本体部に対して固定するための第二結合部を更に有していることが好ましい。
このような構成とすることで、より安定した状態でカバー部材を本体部に対して取り付けることができる。
【００１２】
また、前記本体部は、前記第二結合部を取り付けるための第三孔を有していることが好ましい。  このような構成とすることで、第三孔を介して、より安定した状態でカバー部材を本体部に対して取り付けることができる。
【００１３】
また、前記本体部は、使用者の身体支持部であることが好ましい。
このような構成とすることで、使用者の身体支持部に対してカバー部材を取り付けることができるため、使用者の体感を損なうことを防ぐことができる。
【発明の効果】
【００１４】
本発明によれば、より簡単な構成でカバー部材をマッサージ部に対して取り付けることができる。
【図面の簡単な説明】
【００１５】
【図１】本発明の一実施形態に係るマッサージ機の正面斜視図である。
【図２】本発明の一実施形態に係るマッサージ機の模式図である。
【図３】マッサージ機の機能ブロック図である。
【図４】マッサージ機の姿勢を説明する側面図である。
【図５】マッサージユニットの正面図である。
【図６】本発明の一実施形態に係るカバー部材を展開した裏面から見た状態の図である。
【図７】本発明の一実施形態に係るフットレストの斜視図であり、（ａ）はカバー部材と延設部との間に本体部を位置させた状態を示す図であり、（ｂ）はカバー部材を取り外した状態を示す本体部の図である。
【図８】本発明の一実施形態に係るフットレストを示す図であり、（ａ）はフットレストの平面図であり、（ｂ）はフットレストの正面Ａ−Ａ断面図であり、（ｃ）はフットレストの背面図であり、（ｄ）はフットレストの左側面図である。本発明の一実施形態に係るカバー部材を展開した状態の平面図である。
【図９】本発明の一実施形態に係る身体支持部を示す図であり、（ａ）は右側の側壁部の斜視図であり、（ｂ）は右側の側壁部の正面図である。
【図１０】本発明の他の実施形態に係るカバー部材を展開した裏面から見た状態の図である。
【図１１】本発明の他の実施形態に係るフットレストを示す図であり、（ａ）はカバー部材と延設部との間に本体部を位置させた状態を示す斜視図であり、（ｂ）はフットレストの上面Ｂ−Ｂ断面図である。
【発明を実施するための形態】
【００１６】
以下、本発明の一実施形態に係るマッサージ機１の全体構成について説明する。図１は本発明の一実施形態に係るマッサージ機１の正面斜視図である。図２は本発明の一実施形態に係るマッサージ機１の模式図である。図３はマッサージ機１の機能ブロック図である。図４はマッサージ機１の姿勢を説明する側面図である。図５はマッサージユニット８の正面図である。
なお、以下の説明で用いる方向の概念は、図１に示すマッサージ機１に着座した使用者から見たときの方向の概念と一致するものとし、その他の場合は適宜説明するものとする。また、身体の表裏の定義については、起立した使用者の胸側を「表面」、背中側を「背面」として説明する。
【００１７】
［マッサージ機の全体構成］
図１〜図４に示すとおり、本発明の一実施形態に係るマッサージ機１は、主として、使用者が着座する座部２と、座部２の後部にリクライニング可能に設けられた使用者が凭れる背凭れ部３と、座部２の前部に上下揺動可能に設けられた使用者の下肢を支持するフットレスト４と、背凭れ部３の上部前面に設けられた使用者の頭及び／又は首を支持する枕部５と、座部２の左右両側には肘掛け部６と、背凭れ部３の左右両側には側壁部７と、を有している。座部２、背凭れ部３、フットレスト４、枕部５、肘掛け部６、及び側壁部７は、使用者の身体を支持する身体支持部（本体部）として機能する。身体支持部（本体部）２〜７の各所には、使用者の身体に対してマッサージを行う後述するエアセル２０や後述するバイブレータ２１によるマッサージ部１５が設けられている。また、マッサージ機１は、背凭れ部３に揉みマッサージ及び／又は叩きマッサージを行うマッサージ部１５としてのマッサージユニット８と、マッサージ機１の各動作を制御する制御部９と、後述する使用者に各種操作を行わせるコントローラ１０と、を有している。
【００１８】
図１，図３及び図４に示すとおり、背凭れ部３は、座部２の下方に設けられた第１アクチュエータ１１（図３参照）により、座部２に対して前後にリクライニング可能に構成されており、図１に示す起立姿勢から背凭れ面が略水平となるリクライニング姿勢（図４参照）まで変更可能となっている。なお、肘掛け部６は背凭れ部３のリクライニングに連動して後方へ移動し、背凭れ部３の起立に連動して前方へ移動するよう構成されている。フットレスト４は、座部２の下方に設けられた第２アクチュエータ１２（図３参照）により、座部２に対して上下に揺動可能に構成されており、図１に示す垂下姿勢から膝を伸ばした状態で下腿及び足部が支持される上昇姿勢（図４参照）まで変更可能となっている。
【００１９】
図２，図３に示すとおり、座部２の下方には、エアセル２０よりなる各マッサージ部ａ１〜ａ６に対してエアを給排気するポンプ１３ａ及びバルブ１３ｂを有する給排気装置１３と、前述した制御部９と、が設けられている。各マッサージ部ａ１〜ａ６と同じ場所にモータにより駆動されるバイブレータ２１を設けてもよい。エアセル２０は、エアを給排気することで使用者を押圧することができる。バイブレータ２１は、偏心分銅が回転することで使用者に振動を与えることができる。制御部９は、プログラマブルなマイコン等を有しており、各アクチュエータ１１，１２、マッサージ部１５、及び給排気装置１３を駆動制御する。制御部９には、後述するコントローラ１０や記憶部５０が電気的に接続されている。マッサージ機１は、記憶部５０に記憶された予め定められたプログラム（マッサージコース）に従って動作する他、後述する使用者によるコントローラ１０からの指示に従って動作する。
【００２０】
図１〜３に示すとおり、座部２の左右両側には、使用者の臀部及び／又は大腿部の外側面に対向して設けられた壁部２２が設けられている。この壁部２２は、座部の側方において上方へ立設されている。そして、壁部２２の内側面には、臀部及び／又は大腿部の外側面をマッサージする臀部マッサージ部ａ３が設けられている。座部２の左右両側の肘掛け部６の内側壁を壁部２２として利用してもよく、臀部マッサージ部ａ３を肘掛け部の内側壁に設ければよい。また、座部２には、使用者の臀部及び／又は大腿部を下方（背面）からマッサージする臀部マッサージ部ａ４が設けられていてもよい。臀部マッサージ部ａ３，ａ４は、エアの給排気により膨張収縮するエアセル２０により構成されている。
【００２１】
［背凭れ部の構成］
図１〜図３に示すとおり、背凭れ部３は、硬質の背フレーム３ａと、背フレーム３ａに組み付けられたマッサージ部１５であるマッサージユニット８の昇降をガイドするガイドレール１８と、背フレーム３ａを被覆するカバー部材３ｃと、により構成されている。背フレーム３ａは、金属部材及び／又は樹脂部材により構成されている。また、背フレーム３ａは、左右中央に形成された前後方向に開口する開口部３ｂを有し、正面視で略門型をなしている。また、カバー部材３ｃは、開口部３ｂを前方から覆っている。マッサージユニット８の施療子６２（図５参照）が開口部３ｂより前方へ突出しており、カバー部材３ｃを介して使用者の胴体を後方からマッサージできるようになっている。
【００２２】
［マッサージユニットの構成］
以下、マッサージユニット８の構成について説明する。
図１〜図３，図５に示すとおり、背凭れ部３には、使用者の上半身を後方（背面）からマッサージするマッサージユニット８が設けられている。このマッサージユニット８は、身長方向に沿って複数（本実施形態では１つ）設けられていてもよい。このマッサージユニット８は、左右で対をなすアーム６１と、アーム６１の上下両端部に設けられた施療子６２と、により構成されており、マッサージモータＭ１，Ｍ２の駆動により左右の施療子６２が近接離反する揉みマッサージ、及び左右の施療子６２が交互に使用者側へ進退する叩きマッサージを行わせることができる。また、マッサージユニット８は、昇降モータＭ３の駆動により身長方向に沿って上方又は下方へ移動して、身体に対する位置を変更したり、ローリングマッサージを行わせたりすることができる。背フレーム３ａには、身長方向に延設された左右で対をなすガイドレール１８が設けられており、マッサージユニット８はガイドレール１８に沿って移動する。マッサージユニット８が身長方向に移動可能であるため、使用者の首から腰の間を施療子６２でマッサージすることができる。
【００２３】
図５に示すとおり、マッサージユニット８は、ベースフレーム６０ａと、ベースフレーム６０ａに支持された可動フレーム６０ｂと、を有している。ベースフレーム６０ａは、その左右両側においてガイドレール１８に嵌合するガイドローラ６３を有している。そして、ラックピニオン等よりなる昇降機構（図示せず）によって、身長方向に沿って移動することができる。可動フレーム６０ｂは、左右方向の揺動軸６４を介してベースフレーム６０ａに支持されている。ベースフレーム６０ａと可動フレーム６０ｂの間には、エアセル等よりなる進退駆動部６５が設けられている。進退駆動部６５の駆動により、可動フレーム６０ｂは揺動軸６４を中心として前後方向に進退することができる。なお、可動フレーム６０ｂを進退させる構造でなくてもよく、アーム６１に進退駆動部６５を設けてアーム６１のみを進退させる構造であってもよい。
【００２４】
アーム６１は、左右方向に延設された揉み軸６６及び叩き軸６７に連結されている。揉み軸６６の左右両側には、傾斜軸部６６ｂを有する傾斜カム６６ａが設けられており、この傾斜カム６６ａにアーム６１が取り付けられている。左右の傾斜軸部６６ｂは、正面視で略ハの字型となるように揉み軸６６の軸心に対して傾斜している。叩き軸６７の左右両側には、叩き軸６７の軸心に対して偏心した偏心軸部６７ｂを有する偏心カム６７ａが設けられており、この偏心カム６７ａにアーム６１がコンロッド６８を介して取り付けられている。左右の偏心軸部６７ｂは、叩き軸６７の軸心に対する位相が互いに異なっており、具体的には１８０度だけ異なっている。揉み軸６６及び叩き軸６７は、それぞれマッサージモータＭ１，Ｍ２の駆動により回転する。施療子６２は、揉み軸６６の回転により揉みマッサージを行い、叩き軸６７の回転により叩きマッサージを行う。なお、施療子６２が設けられたアーム６１、揉み軸６６、及び叩き軸６７は、可動フレーム６０ｂに支持されている。従って、施療子６２は、可動フレーム６０ｂの移動を介して使用者に対して進退可能である。
【００２５】
アーム６１は、前後方向に揺動自在であり、上側の施療子６２が前方へ突出するようにバネ等よりなる付勢手段（図示せず）により付勢されている。また、マッサージユニット８は、使用者の身体情報を検出するセンサ６９を有している。このセンサ６９は、アーム６１が所定の揺動位置となったことを検出することで身体情報を得ることができる。具体的に説明すると、マッサージユニット８を身長方向に沿って上昇させる過程で、上側の施療子６２が肩の上方に到達すると、施療子６２に作用する負荷が解除されて、アーム６１が前方へ揺動して所定の揺動位置となる。アーム６１が所定の揺動位置となったことをセンサ６９が検出し、その際のマッサージユニット８の上下位置に基づいて肩の位置を検出する。肩の位置を基準として、その他の部位（首、背中、腰等）の位置を計算により求める。検出された身体情報は記憶部５０に記憶される。
【００２６】
［側壁部の構成］
図１〜図３に示すとおり、背フレーム３ａ（背凭れ部３）の左右両側には、使用者の肩又は上腕の外側面に対向して設けられた側壁部７が設けられている。この側壁部７は、背凭れ部３の側方において前方へ立設されている。そして、側壁部７の内側面には、肩又は上腕の外側面をマッサージする肩側マッサージ部ａ１が設けられている。肩側マッサージ部ａ１は、エアの給排気により膨張収縮するエアセル２０により構成されている。なお、側壁部７に取り付けられたカバー部材７０の構成については、後述する。
【００２７】
［枕部の構成］
図１、図２に示すとおり、背凭れ部３の上部前面には、使用者の頭及び／又は首を支持する枕部５が設けられている。枕部５の前面には、頭及び／又は首の後面に対向する位置に左右で対をなす頭部マッサージ部を設けてもよい。また、枕部５に対して後述するカバー部材７０を取り付けてもよい。
【００２８】
［肘掛け部の構成］
図１〜図３に示すとおり、座部２の左右両側には、使用者の手先と前腕を支持する肘掛け部６が設けられている。肘掛け部６の手先と前腕の上下方向には、腕マッサージ部ａ２が設けられている。腕マッサージ部ａ２は、エアの給排気により膨張収縮するエアセル２０により構成されている。また、肘掛け部６に対して後述するカバー部材７０を取り付けてもよい。
【００２９】
［カバー部材の構成］
図６は、本発明の一実施形態に係るカバー部材７０を展開した裏面から見た状態の図である。図６に示すとおり、カバー部材７０は左右方向に伸びた長方形状に構成されている。カバー部材７０は、身体に当接する表面と本体部４０に当接する裏面とを有している。カバー部材７０の裏面の左右両側には、内部に空間を有する袋体７４が形成されており、袋体７４の内部には、エアセル２０よりなるマッサージ部１５を収納することができる。
【００３０】
カバー部材７０の裏面に形成された袋体７４には、第二結合部７３が設けられている。第二結合部７３は、カバー部材７０の長手方向と直交する方向に対して取り付けられている。第二結合部７３は、上下端にそれぞれ結合部を有している。第二結合部７３の上端に設けられた第二結合部７３ａと第二結合部７３の下端に設けられた第二結合部７３ｂである。第二結合部７３ａと第二結合部７３ｂは、後述する本体部４０に設けられた孔（第三孔８０）を通して本体部４０の外側で互いに結合するようになっている。
【００３１】
また、カバー部材７０は、延設部７５が設けられている。具体的には、カバー部材７０の一方から上方に向かって延設された第一延設部７１と、カバー部材７０の他方から下方に向かって延設された第二延設部７２とが設けられている。第一延設部７１の先端側には、第二延設部７２の第一結合部７２ｂと結合させるための第一結合部７１ｂが設けられている。第一結合部７１には、後述する固定部８１を挿通させるための孔（第一孔７１ａ）が左右方向に２つ設けられている。第二延設部７２の先端側には、第一延設部７１の第一結合部７１ｂと結合させるための第一結合部７２ｂが設けられている。第一結合部７２は、後述する固定部８１を挿通させるための孔（第二孔７２ａ）が左右方向に２つ設けられている。第一結合部７１、７２は、本体部４０の上方及び下方から背面に向かって巻き付けるようになっており、本体部４０の背面側で後述する固定部８１を介して取り付けられる。
【００３２】
なお、第一延設部７１の第一結合部７１ｂと第二延設部７２の第一結合部７２ｂの結合、第二結合部７３ａと第二結合部７３ｂの結合は、結合部どうしを結合させることができる構成であればよく、例えば、第一結合部７１ｂ，７２ｂ、第二結合部７３ａ，７３ｂを結合させる手段として、ベルクロ（登録商標）やファスナー、スナップボタンなどがある。また、後述する固定部８１を介さず本体部４０に対して直接取り付けられるような構造となっていてもよい。
【００３３】
［フットレストの構成］
図１、２、７、８に示すとおり、フットレスト４は、使用者の下腿を支持する左右一対の脚支持部（本体部）４０と、使用者の足部を支持する左右一対の足支持部４１と、を有している。脚支持部（本体部）４０は、使用者の下腿の背面に対向して設けられた底壁４０ａと、底壁４０ａの左右両端から前方に向かって立設された側壁４０ｂと、底壁４０ａの左右中央から前方に向かって立設された中央壁４０ｃと、を有している。なお、底壁４０ａと側壁４０ｂと中央壁４０ｃは内部に空間を有する中空構造となっている。
【００３４】
側壁４０ｂの内側面には、下腿の外側面をマッサージする脚マッサージ部ａ５が設けられ、中央壁４０ｃの両外側面には、下腿の内側面をマッサージする脚マッサージ部ａ５が設けられている。なお、脚マッサージ部ａ５は、エアの給排気により膨張収縮するエアセル２０により構成されている。
【００３５】
足支持部４１は、使用者の足裏を置く底壁４１ａと、底壁４１ａの左右両端から上方に向かって立設された側壁４１ｂと、底壁４１ａの左右中央から上方に向かって立設された中央壁４１ｃと、底壁４１ａの後部から上方へ立設された足部の背面（踵付近）に対向する後壁４１ｄと、を有している。各壁４１ａ〜４１ｄより上方及び前方が開口した凹部４２が形成されており、凹部４２に足部を収容できるようになっている。
【００３６】
各壁４１ａ〜４１ｃには、使用者の足をマッサージする足マッサージ部ａ６が設けられている。足マッサージ部ａ８は、エアの給排気により膨張収縮するエアセル２０により構成されている。
なお、脚支持部（本体部）４０と足支持部４１とを伸縮機構（図示せず）を介して連結することで、足支持部４１を脚支持部（本体部）４０に対して移動させることができ、使用者の脚の長さに対応させることができる。
【００３７】
脚支持部（本体部）４０について、詳述する。図７、８に示すとおり、脚支持部４０は内部に空間を有する中空構造となっており、脚支持部４０を構成する側壁４０ｂと中央壁４０ｃには、上下一対の孔（第三孔８０）がそれぞれ設けられている。孔（第三孔８０）には、後述するカバー部材７０に設けられた第二結合部７３ａ，７３ｂをそれぞれ通すことができるようになっている。孔（第三孔８０）に通された第二結合部７３ａ，７３ｂは、側壁４０ｂの内部を通って外側面において互いに結合するようになっている。また、孔（第三孔８０）に通された第二結合部７３ａ，７３ｂは、中央壁４０ｃの内部において互いに結合するようになっている。
【００３８】
また、カバー部材７０の一方から延設された第一延設部７１の第一結合部７１ｂと他方から延設された第二延設部７２の第一結合部７２ｂとは、底壁４０ａの背面において、第一結合部７１ｂに設けられた孔（第一孔７１ａ）と第一結合部７２ｂに設けられた孔（第二孔７２ａ）に挿通される固定部８１を介して互いに結合するようになっている。
なお、固定部８１を介さずに第一延設部７１の第一結合部７１ｂと第二延設部７２の第一結合部７２ｂとを互いに結合するようにしてもよい。その場合は、孔（第一孔７１ａ、第二孔７２ａ）を設ける必要がないため、製造工数の削減にも寄与することができる。
【００３９】
図８は、本発明の一実施形態に係るフットレストを示す図であり、（ａ）はフットレストの平面図であり、（ｂ）はフットレストの正面Ａ−Ａ断面図であり、（ｃ）はフットレストの背面図であり、（ｄ）はフットレストの左側面図である。
図８に示すとおり、フットレスト４を構成する脚支持部（本体部）４０は、少なくとも使用者の身体が当接する部分（マッサージ部１５が当接する部分）を覆うようにカバー部材７０が取り付けられている。
【００４０】
本体部４０を構成する側壁４０ｂの内側面には、カバー部材７０が取り付けられている。具体的には、カバー部材７０の裏面に形成された袋体７４に設けられた第二結合部７３が孔（第三孔８０）を介して、側壁４０ｂの外側で結合することにより、カバー部材７０を側壁４０ｂに対して取り付けている。また、中央壁４０ｃの内側面には、カバー部材７０が取り付けられている。具体的には、カバー部材７０の裏面に形成された袋体７４に設けられた第二結合部７３が孔（第三孔８０）を介して、中央壁４０ｃの内部で結合することにより、カバー部材７０を中央壁４０ｃに対して取り付けている。
【００４１】
また、本体部４０を構成する底壁４０ａの内側面には、カバー部材７０が取り付けられている。具体的には、カバー部材７０の第一延設部７１が底壁４０ａの上側を通って、第一結合部７１ｂが底壁４０ａの背面中央付近に位置するようになっており、カバー部材７０の第二延設部７２が底壁４０ａの下側を通って、第一結合部７２ｂが底壁４０ａの背面中央付近に位置するようになっている。第一結合部７１ｂと第一結合部７２ｂは、底壁４０ａの背面中央付近で固定部８１を介して取り付けられている。なお、固定部８１は、ボルトとナットから構成されており、第一孔７１ａと第二孔７２ａを通って、本体部４０と固定される。
【００４２】
なお、側壁４０ｂの外側は、第二結合部７３が露出した状態となっている。そのため、そのままの状態では、外観が損なってしまう。そのようなことを防ぐために、第二結合部７３を隠し、外観を損なわないようにするための外装パネル９０が本体部４０の周囲に取り付けられている。外装パネル９０は、底壁４０ａの背面で、底壁４０ａと固定部８１との間にカバー部材７０の第一延設部７１と第二延設部７２と外装パネル９０を位置させ、底壁４０ａと固定部８１とで挟むことにより本体部４０に対して固そうすることで、簡単な構成でマッサージ部を覆うことができる。
【００４３】
［側壁部に取り付けられたカバー部材の構成］
図９は、本発明の一実施形態に係る身体支持部としての側壁部７を示す図であり、（ａ）は右側の側壁部７の斜視図であり、（ｂ）は右側の側壁部７の正面図である。図９に示すとおり、側壁部７は、側壁部７本体と、側壁部７本体の一部を覆うことのできるカバー部材７０と、カバー部材７０に設けられた袋体７４の内部に収納されるマッサージ部ａ３と、側壁部７本体の外側を覆う外装パネル９０とで構成されている。マッサージ部ａ３は、使用者の肩部に対してマッサージを行うエアの給排気により膨張収縮するエアセル２０により構成される肩側マッサージ部３ａ（マッサージ部１５）である。
【００４４】
カバー部材７０は、側壁部７本体の外側（使用者の身体と当接する側と反対側）で第一結合部７１ａと第一結合部７１ｂとを固定部８１を介して取り付けている。第一結合部７１ａ、７１ｂと固定部８１とを隠すように、その上から外装パネル９０を側壁部７本体に対して取り付けている。そうすることで、外観を損なうことなく、簡単な構成でマッサージ部１５を覆うことができる。
【００４５】
［他の実施形態］
図１０、図１１は、他の実施形態を示す図である。本発明の一実施形態と異なる点は、第二結合部７３をカバー部材７０の袋体７４に対して取り付けている方向と第二結合部７３を取り付けている個数であり、その他の点は同じである。図１０、図１１に示すとおり、カバー部材７０の袋体７４の表面には、第二結合部７３（７３ａ，７３ｂ）が上下に２つ、左右それぞれの袋体７４に取り付けられている。上側の第二結合部７３ａどうしを脚支持部（本体部）４０の上側の第三孔８０を通し、下側の第二結合部７３ｂどうしを脚支持部（本体部）４０の下側の第三孔８０を通し、それぞれを脚支持部（本体部）４０の背面で結合させることでカバー部材を脚支持部（本体部）４０に対して安定した状態で取り付けることができる。
【産業上の利用可能性】
【００４６】
本発明は、より簡単な構成でカバー部材をマッサージ部に対して取り付けることができるマッサージ機に適用できる。
【符号の説明】
【００４７】
本体部  ４０
マッサージ部  １５
カバー部材  ７０
延設部  ７５
第一延設部  ７１（延設部  ７５）
第二延設部  ７２（延設部  ７５）
【図１】
2019025210.tif 000003
【図２】
2019025210.tif 000004
【図３】
2019025210.tif 000005
【図４】
2019025210.tif 000006
【図５】
2019025210.tif 000007
【図６】
2019025210.tif 000008
【図７】
2019025210.tif 000009
【図８】
2019025210.tif 000010
【図９】
2019025210.tif 000011
【図１０】
2019025210.tif 000012
【図１１】
2019025210.tif 000013